(57)【要約】【課題】レンズカバーを取り付けていないにも拘わらず、レンズに衝撃が与えられた際にレンズの破損を抑制することができるインターホン機器を提供する。【解決手段】カメラ５にネジ２７の軸部を挿通可能な挿通孔１４ｂ、１４ｂ・・を、レンズ４の中央を中心とした同一円周上に位置するように穿設し、カメラ５の後方から挿通孔１４ｂ、１４ｂ・・を介してネジ２７、２７・・を前ケース２の後面へねじ込むとともに、各ネジ２７の軸部に軸方向へ縮められたコイルバネ２９を巻回させ、コイルバネ２９によってカメラ５を前ケース２の後面側へ付勢することにより、カメラ５を前ケース２の後面に設置した。【選択図】図３
2015185924.tif 000002
【特許請求の範囲】
【請求項１】
本体ケースの前面にカメラ窓を開設するとともに、前記カメラ窓からレンズが露出するように、前記レンズを有するカメラを前記本体ケースの内部に設置してなるインターホン機器であって、
カメラにおけるレンズの中央を中心とした同一円周上となる位置に、複数の挿通孔を穿設する一方、
前記挿通孔を介して前記カメラの前側と後側とにわたる複数のガイド手段を設けるとともに、各前記ガイド手段の前記カメラの後側となる位置に大径部を設け、各前記ガイド手段において、前記カメラの後面と前記大径部とにわたり軸方向へ縮めたコイルバネを巻回させ、
前記コイルバネの付勢力により前記本体ケースの前面側へ付勢した状態で、前記カメラを前記本体ケースの内部に設置しており、
前記付勢力を超える後方への負荷が前記カメラにかかると、前記カメラが前記コイルバネの付勢力に抗して、前記本体ケースの内部側へ移動可能としたことを特徴とするインターホン機器。
【請求項２】
前記カメラの重心を、前記レンズの光軸中心上に位置させたことを特徴とする請求項１に記載のインターホン機器。
【請求項３】
前記レンズの前端が前記本体ケースの前面よりも前記本体ケースの内部側へ入り込むまで、前記カメラを前記本体ケースの内部側へ移動可能としたことを特徴とする請求項１又は２に記載のインターホン機器。
【発明の詳細な説明】
【技術分野】
【０００１】
本発明は、たとえば来訪者等を撮像するための撮像手段を備えたインターホン機器に関するものである。
【背景技術】
【０００２】
従来、インターホン機器の一例であるインターホン子機には、来訪者等を撮像するためのカメラが備えられることがある。そして、そのようなカメラ付きのインターホン子機としては、たとえば特許文献１に開示されているものがあり、本体ケースの前面にカメラのレンズを露出させるとともに、該レンズを覆うようにレンズカバーを取り付けた構造を有していた。
【先行技術文献】
【特許文献】
【０００３】
【特許文献１】特開２０１０−９３６４８号公報
【発明の概要】
【発明が解決しようとする課題】
【０００４】
しかしながら、レンズカバーを取り付けると、レンズカバーを本体ケースよりも前方へ大きく突出させる必要があるから、レンズカバーが傷つくことによるカメラの解像度の低下、レンズカバーの界面で発生する太陽光の反射に起因した有害なゴーストやフレアの発生が問題となる。そこで、レンズカバーを取り付けないとする構造も考えられるが、たとえば魚眼レンズ等を用いた超広角での撮像を可能とするには、レンズを本体ケースの前面よりも前方へ突出させる必要がある。したがって、ただ単にレンズカバーを取り付けないという構造では、ハンマーで殴る等によりレンズに衝撃が与えられた際、レンズが破損しやすいという問題がある。
【０００５】
そこで、本発明は、上記問題に鑑みなされたものであって、レンズカバーを取り付けていないにも拘わらず、レンズに衝撃が与えられた際にレンズの破損を抑制することができるインターホン機器を提供しようとするものである。
【課題を解決するための手段】
【０００６】
上記目的を達成するために、本発明のうち請求項１に記載の発明は、本体ケースの前面にカメラ窓を開設するとともに、カメラ窓からレンズが露出するように、レンズを有するカメラを本体ケースの内部に設置してなるインターホン機器であって、カメラにおけるレンズの中央を中心とした同一円周上となる位置に、複数の挿通孔を穿設する一方、挿通孔を介してカメラの前側と後側とにわたる複数のガイド手段を設けるとともに、各ガイド手段のカメラの後側となる位置に大径部を設け、各ガイド手段において、カメラの後面と大径部とにわたり軸方向へ縮めたコイルバネを巻回させ、コイルバネの付勢力により本体ケースの前面側へ付勢した状態で、カメラを本体ケースの内部に設置しており、付勢力を超える後方への負荷がカメラにかかると、カメラがコイルバネの付勢力に抗して、本体ケースの内部側へ移動可能としたことを特徴とする。
請求項１に記載の発明によれば、付勢力を超える後方への負荷がカメラにかかると、カメラがコイルバネの付勢力に抗して、本体ケースの内部側へ移動可能としているため、たとえばハンマーで叩かれる等したとしても、カメラは本体ケースの内部側へ移動しながら、上記衝撃を吸収することができる。したがって、従来の如くレンズカバーを設けずとも、レンズの破損を抑制することができる。また、負荷が解除されると、コイルバネの付勢力によりカメラを通常の設置位置へ自動的に復帰させることができるため、カメラの設置位置を一々直す必要がなく、使い勝手が良い。さらに、複数の挿通孔を、レンズの中央を中心とした同一円周上に位置するように設けているため、後方への移動時に、カメラは設置姿勢から傾斜したりせず、設置姿勢のまま後方へ移動する。したがって、衝撃が与えられた際にカメラが設置姿勢から傾斜して何らかの部材に引っ掛かってしまい、衝撃がおさまったにも拘わらず設置位置へ復帰できない等といった事態の発生を防止することができる。
なお、本発明における「カメラにおけるレンズの中央を中心とした同一円周上となる位置に、複数の挿通孔を穿設する」とは厳密な同一円周上のみならず、僅かに同一円周上からずれているものも含む。
【０００７】
請求項２に記載の発明は、請求項１に記載の発明において、カメラの重心を、レンズの光軸中心上に位置させたことを特徴とする。
請求項２に記載の発明によれば、カメラの重心を、レンズの光軸中心上に位置させたことで、付勢力を超える後方への負荷がカメラにかかった際に、その負荷を各ネジに均等に分散させることができ、レンズの破損抑制といった効果を一層顕著なものとすることができる。
【０００８】
請求項３に記載の発明は、請求項１又は２に記載の発明において、レンズの前端が本体ケースの前面よりも本体ケースの内部側へ入り込むまで、カメラを本体ケースの内部側へ移動可能としたことを特徴とする。
請求項３に記載の発明によれば、レンズの前端が本体ケースの前面よりも本体ケースの内部側へ入り込むまで、カメラを本体ケースの内部側へ移動可能としているため、レンズの破損抑制といった効果をより一層顕著なものとすることができる。
【発明の効果】
【０００９】
本発明によれば、カメラにおけるレンズの中央を中心とした同一円周上となる位置に、複数の挿通孔を穿設する一方、挿通孔を介してカメラの前側と後側とにわたる複数のガイド手段を設けるとともに、各ガイド手段のカメラの後側となる位置に大径部を設け、各ガイド手段において、カメラの後面と大径部とにわたり軸方向へ縮めたコイルバネを巻回させ、コイルバネの付勢力により本体ケースの前面側へ付勢した状態で、カメラを本体ケースの内部に設置しており、付勢力を超える後方への負荷がカメラにかかると、カメラがコイルバネの付勢力に抗して、本体ケースの内部側へ移動可能とした。したがって、たとえばハンマーで叩かれる等したとしても、カメラは本体ケースの内部側へ移動しながら、上記衝撃を吸収することができるため、従来の如くレンズカバーを設けずとも、レンズの破損を抑制することができる。
【図面の簡単な説明】
【００１０】
【図１】インターホン子機を前面側から示した説明図である。
【図２】カメラを設置した状態にある前ケースを後面側から示した斜視説明図である。
【図３】図２の前ケースを分解した状態にある斜視説明図である。
【図４】カメラを設置した状態にある前ケースの部分断面説明図である。
【図５】カメラが後方へ移動した際の前ケースの部分断面説明図である。
【発明を実施するための形態】
【００１１】
以下、本発明の一実施形態となるインターホン子機について、図面にもとづき詳細に説明する。
【００１２】
図１は、インターホン子機１を前面側から示した説明図である。
インターホン子機１は、前側に配置される前ケース２と、後側に配置される後ケース（図示せず）とで構成される本体ケースを有しており、この本体ケースの前面上部には、円孔状のカメラ窓３が開設され、該カメラ窓３内にレンズ４が露出するように、カメラ５（図２に示す）が本体ケース内に設置されている。また、カメラ窓３の右側には、通話のためのマイク部６が設けられている。さらに、本体ケースの前面下部には、来訪者が居住者を呼び出す際に操作する呼出ボタン７と、通話のためのスピーカ部８とが設けられている。そして、このようなインターホン子機１は、住戸の玄関の壁面等に設置されており、来訪者によって呼出ボタン７が操作されると、住戸内に設置されているインターホン親機（図示せず）を呼び出すとともに、カメラ５を作動させて来訪者を撮像する。なお、カメラ５により撮像された映像は、インターホン親機に備えられているモニタに表示される。
【００１３】
ここで、本発明の要部となるカメラ５の設置に係る構造について、図２〜図５をもとに詳細に説明する。
図２は、カメラ５を設置した状態にある前ケース２を後面側から示した斜視説明図である。図３は、図２の前ケース２を分解した状態にある斜視説明図である。図４は、カメラ５を設置した状態にある前ケース２の部分断面説明図である。図５は、カメラ５が後方へ移動した際の前ケース２の部分断面説明図である。
【００１４】
カメラ５は、レンズユニット１１と、レンズユニット１１の後部を支持するレンズホルダ１０と、撮像素子（図示せず）等が搭載された回路基板１２とを備えてなる。レンズホルダ１０は、前面が平らな基台で、その中央部には、レンズユニット１１を螺合させるための螺合孔１３が設けられている。さらに、レンズホルダ１０には、レンズホルダ１０を前ケース２の裏面に固定するための３つの固定片１４、１４・・が設けられている。各固定片１４には、後方へ突出する位置決め凸部１４ａが設けられており、該位置決め凸部１４ａの略中央に、ネジ２７の軸部を挿通可能な挿通孔１４ｂが穿設されている。各挿通孔１４ｂは、小径な後部と、後部よりも大径な前部とを有しており、当該前部は、前ケース２の後面に突設された固定ボス２６の先端を嵌入可能な嵌入凹部（図示せず）として機能するようになっている。そして、各固定片１４の特に挿通孔１４ｂは、螺合孔１３の中央（すなわちレンズ４の中央）を中心とした同一円周上に位置した状態となっている。
【００１５】
一方、レンズユニット１１は、レンズ４、及びレンズ４を保持するレンズ鏡枠１７からなる。そして、レンズ鏡枠１７は、前後方向へ延びる円筒状に形成され、内部にレンズ４を収容し、その一部を前面から露出させた状態で保持可能となっている。また、レンズ鏡枠１７の後部は、螺合孔１３へねじ込み可能な雄ねじ部１８として形成されている。さらに、雄ねじ部１８の前側に隣接する位置には、くびれ状の取付凹部が周設されており、Ｏリング２１（図４に示す）を取付可能となっている。
【００１６】
加えて、回路基板１２は、前面に撮像素子を始めとした種々の素子が搭載されてなる基板であって、レンズホルダ１０の後側に配置されている。そして、該回路基板１２には、レンズホルダ１０へネジ止めするためのネジ止め孔２３、２３、及びレンズホルダ１０の位置決め凸部１４ａが入り込み可能な位置決め孔２４や位置決め用切り欠き２５、２５が設けられている。
【００１７】
上述の如きカメラ５の組み立て及び前ケース２への設置について説明すると、まずＯリング２１を嵌装した状態で、レンズ鏡枠１７の雄ねじ部１８をレンズホルダ１０の前方から螺合孔１３へねじ込み、レンズユニット１１とレンズホルダ１０とを一体化する。このレンズユニット１１のレンズホルダ１０への螺合度合いを調整することにより、フォーカス調整が可能となっている。なお、レンズユニット１１をねじ込むと、フォーカスが合焦点に近づくにつれＯリング２１が取付凹部内で潰されるように変形してトルクが強くなり、レンズユニット１１は合焦点でレンズホルダ１０に強固に固定されることになる。
【００１８】
そして、レンズホルダ１０の位置決め凸部１４ａ、１４ａ・・を対応する回路基板１２の位置決め孔２４や位置決め用切り欠き２５、２５へ嵌め込み、回路基板１２上でのレンズホルダ１０の位置を位置決めした後、ネジ止め孔２３、２３を利用したネジ止めによりレンズホルダ１０と回路基板１２とを一体化すれば、カメラ５の組み立ては完了となる。この組み立て状態において、カメラ５の重心は、レンズ４の光軸中心上に位置している。
【００１９】
次に、前ケース２の後面においてカメラ窓３を囲むように弾性部材２２を配置した上で、レンズ４をカメラ窓３内へ露出させながら、レンズホルダ１０の固定片１４、１４・・の嵌入凹部内へ固定ボス２６、２６・・の先端を嵌入させる。そして当該状態において、カメラ５の後方からネジ２７、２７・・を、挿通孔１４ｂ、１４ｂ・・を介して固定ボス２６、２６・・のネジ孔へねじ込む。このとき、ワッシャ２８及び前後方向が軸方向となるコイルバネ２９を各ネジ２７の軸部に介在させ、各ネジ２７をねじ込むことにより、コイルバネ２９が、回路基板１２の後面とワッシャ２８との間で軸方向に縮んだ状態となるようにする。すると、挿通孔１４ｂを介してカメラ５の前側と後側とにわたり固定ボス２６とネジ２７とからなるガイド手段が設けられることになり、且つ、ネジ２７のカメラ５の後側となる位置に大径部としてのワッシャ２８が存在し、さらに、ネジ２７の軸部において、カメラ５の後面とワッシャ２８とにわたり軸方向へ縮められたコイルバネ２９が巻回された状態となる。したがって、コイルバネ２９、２９・・の付勢力によりカメラ５が前方（すなわち前ケース２の後面側）へ押し付けられることになり、カメラ５の前ケース２の後面への設置は完了となる。
【００２０】
上述したように設置されたカメラ５に対し、コイルバネ２９、２９・・の付勢力を超える後方への負荷、たとえば本体ケースの前面側からハンマーで叩かれる等して後方へ強い衝撃が与えられたとする。すると、コイルバネ２９、２９・・の付勢力に抗してカメラ５が後方（すなわち本体ケースの内部側）へネジ２７、２７・・の軸部に沿って移動し、上記衝撃を吸収する。また、衝撃がおさまると、コイルバネ２９、２９・・の付勢力によりネジ２７、２７・・の軸部に沿って前方へ移動し、上記設置位置へ復帰する。なお、ネジ２７の長さ、コイルバネ２９の軸方向長さ、及びコイルバネ２９の付勢力は、カメラ５が後方へ移動する際、レンズ４の前端（すなわちレンズ４の最も前方へ膨出した面）が本体ケースの内部に入り込み可能、すなわち図５に示す如くレンズ４の前端が前ケース２の前面よりも後側に位置するまで入り込み可能な程度の値となっている。
【００２１】
以上のような構成を有するインターホン子機１によれば、カメラ５にネジ２７の軸部を挿通可能な挿通孔１４ｂ、１４ｂ・・を穿設し、カメラ５の後方から挿通孔１４ｂ、１４ｂ・・を介してネジ２７、２７・・を前ケース２の後面へねじ込むとともに、各ネジ２７の軸部に軸方向へ縮められたコイルバネ２９を巻回させ、コイルバネ２９によってカメラ５を前ケース２の後面側へ付勢することにより、カメラ５を前ケース２の後面に設置している。そのため、たとえばハンマーで叩かれる等してカメラ５（特にレンズ４等）に後方への強い衝撃が与えられたとしても、カメラ５は本体ケースの内部側へ移動しながら、上記衝撃を吸収することができる。したがって、従来の如くレンズカバーを設けずとも、レンズ４の破損を抑制することができる。
また、衝撃がおさまると、コイルバネ２９、２９・・の付勢力によりカメラ５を通常の設置位置へ自動的に復帰させることができるため、カメラ５の設置位置を一々直す必要がなく、使い勝手が良い。
さらに、挿通孔１４ｂ、１４ｂ・・を、レンズ４の中央を中心とした同一円周上に位置するように設けているため、後方への移動時に、カメラ５が設置姿勢から傾斜してしまうといった事態が生じにくい。すなわち、カメラ５は設置姿勢のまま後方へ移動する。したがって、衝撃が与えられた際にカメラ５が設置姿勢から傾斜して何らかの部材に引っ掛かってしまい、衝撃がおさまったにも拘わらず設置位置へ復帰できない等といった事態の発生を防止することができる。
【００２２】
また、カメラ５を、自身の重心がレンズ４の光軸中心上に位置するように形成しているため、衝撃が与えられた際に、その衝撃を各ネジ２７に均等に分散させることができ、レンズ４の破損抑制といった効果を一層顕著なものとすることができる。
さらに、カメラ５が後方へ移動する際、レンズ４の前端が本体ケースの内部にまで入り込み可能としているため、レンズ４の破損抑制といった効果を極めて顕著なものとすることができる。
加えて、各挿通孔１４ｂが、小径な後部と、後部よりも大径で前ケース２の後面に突設された固定ボス２６の先端を嵌入可能な前部とを有しており、前部を固定ボス２６の先端に嵌入させた状態でカメラ５を設置している。したがって、カメラ５に衝撃が与えられた際、カメラ５が設置姿勢から傾斜するといった事態をより確実に防止することができる。
【００２３】
なお、本発明に係るインターホン機器は、上記実施形態の態様に何ら限定されるものではなく、インターホン機器の全体的な構成は勿論、カメラ５そのものの構成やカメラ５の本体ケースへの設置に係る構成について、本発明の趣旨を逸脱しない範囲で、必要に応じて適宜変更することができる。
【００２４】
たとえば、上記実施形態では、カメラ５が後方へ移動する際のガイド手段としてネジ２７を採用しているが、後ケースに前方へ突出する突起（基部側に大径部を有する）を設け、当該突起をネジ２７に代わるガイド手段として採用することも可能である。すなわち、当該突起にコイルバネを巻回させておき、後ケースの前ケースへの組み付けに伴い、突起が挿通孔を挿通するとともにコイルバネが軸方向へ縮んだ状態でカメラ５の後面に当接するような構成とすれば、上記実施形態同様の効果を奏することができる。
また、たとえば前ケースから後方へ大きく突出するガイド突起（先端側に大径部を有する）を設けるとともに、カメラ５の後面と後ケースの内面との間にわたり、コイルバネ２９をガイド突起に巻回させるような構成を採用することも考えられる。
【００２５】
さらに、上記実施形態では、カメラ５のガイド手段を３つ設けているが、４つ以上設けても何ら問題はないし、挿通孔１４ｂの形状については、言うまでもなく設計変更可能である。また、ガイド手段としてネジ２７を採用するに際しても、ワッシャ２８の有無はコイルバネ２９の径等に応じて適宜変更すればよく、ネジ２７のネジ頭を大径部とすることも可能である。
さらにまた、上記実施形態では、カメラ５におけるレンズ４の中央を中心とした同一円周上となる位置に、複数の挿通孔１４ｂ、１４ｂ・・を穿設するとしているが、厳密な同一円周上でなく、僅かに同一円周上から外れた位置に挿通孔１４ｂ、１４ｂ・・の何れかが位置していたとしても何ら問題はない。
加えて、上記実施形態ではインターホン子機について説明しているが、本発明のインターホン機器は、カメラを有してなるインターホン機器であれば、インターホン親機やテレビドアホンシステムの玄関子機等の他のインターホン機器に対しても良好に適用することができる。
【符号の説明】
【００２６】
１・・インターホン子機（インターホン機器）、２・・前ケース（本体ケース）、３・・カメラ窓、４・・レンズ、５・・カメラ、１０・・レンズホルダ、１１・・レンズユニット、１２・・回路基板、１３・・螺合孔、１４・・固定片、１４ｂ・・挿通孔、２６・・固定ボス（ガイド手段）、２７・・ネジ（ガイド手段）、２８・・ワッシャ（大径部）、２９・・コイルバネ。
【図１】
2015185924.tif 000003
【図２】
2015185924.tif 000004
【図３】
2015185924.tif 000005
【図４】
2015185924.tif 000006
【図５】
2015185924.tif 000007